(57)【特許請求の範囲】
【請求項１】
ネガマスクユニット本体に設けたフィルム搬送路の途中にネガマスクを取替え交換又は移動交換自在に設け、このネガマスクでの露光処理に必要なフィルム挿入口、送り手段、各種センサを含むマスク関連部材を装着するための取付スペースをネガマスクの一側に設け、この取付スペースに基準フィルム用と新様式フィルム用のマスク関連部材のいずれかを選択して着脱自在に装着し、選択したマスク関連部材に適合するネガフィルムを挿通させ露光処理可能として成るネガマスクユニット。
【請求項２】
前記取付スペースに装着されるマスク関連部材を基準フィルム用と新様式フィルム用とについて全部又は一部を共通形状とし、その共通形状部分を取付スペースに着脱自在に装着するようにしたことを特徴とする請求項１に記載のネガマスクユニット。
【請求項３】
前記ネガマスクを設ける位置にフィルム搬送路と直交する方向のネガマスク用移動路を設け、ネガマスクとして基準フィルム用と新様式フィルム用の露光窓を互いに隣接して一体に形成したものを上記移動路に移動交換自在に装着したことを特徴とする請求項１又は２に記載のネガマスクユニット。
【請求項４】
前記ネガマスクユニット本体のフィルム搬送路にフィルムの送り手段を適宜間隔で固定して設け、基準フィルム又は新様式フィルムいずれか用のマスク関連部材を取付スペースに装着した際にマスク関連部材のフィルム挿入口から挿入されるフィルムを送る送り手段を上記固定側の送り手段に同期連動して同一駆動部により駆動するように構成したことを特徴とする請求項１乃至３のいずれかに記載のネガマスクユニット。
【発明の詳細な説明】
【０００１】
【発明の属する技術分野】
この発明は、カートリッジに収納して取り扱われる新様式のネガフィルムと１３５フィルムなどの従来のネガフィルムのいずれからも写真焼付処理できるようにしたネガマスクユニットの構造に関する。
【０００２】
【従来の技術】
最近、カートリッジから繰り出されたフィルムを現像した後そのネガフィルムから写真焼付処理をし、その後再び元のカートリッジに巻き戻して保管される新様式のフィルムが利用できるようになっている。かかる新様式のフィルムは、従来のフィルムに比較すると、小型で取り扱い易く、現像、焼付処理を自動化するのに適し、元のカートリッジに巻き戻して保管する方式である等種々の点で優れた特性を有する。
【０００３】
このような優れた特性の新様式のネガフィルムは、従来の１３５タイプのネガフィルムや１１０タイプなどのいずれとも幅が異なるため、従来の機種の写真焼付装置において露光位置に設けられたネガマスクでは画面が露光用窓から外れるなどから露光処理ができない。
【０００４】
また、新様式のネガフィルムは写真撮影時の撮影条件などの情報を記録するため透明磁性体からなる磁気情報部が設けられており、従って新様式のネガフィルムを処理する写真焼付装置ではかかる磁気情報を読取るための読取手段を備えていなければならない。
【０００５】
上記理由から、新様式のネガフィルムを処理する写真焼付装置は、例えば特開平７−３６１２０号公報などに示されたターンテーブル方式でカートリッジをスキャナユニットや焼付露光ユニットへ送りネガフィルムをそれぞれ繰り出して焼付処理をする新様式のネガフィルム専用のものが提案されており、このような専用機では露光位置のネガマスクを含むネガマスクユニットも新様式のネガフィルム専用のものが用いられている。
【０００６】
【発明が解決しようとする課題】
ところで、上述した新様式のフィルムは採用されてから未だ日が浅く一般の人に大量に使用される程には至っておらず、依然として１３５フィルムが現状では主流である。しかし、新様式のフィルム用のカメラの普及に伴って新様式のネガフィルムから焼付処理をする処理量が増加することが予想される。
【０００７】
一方、従来の１３５フィルムは今後も新様式のものと並行して継続して使用され続けると考えられ、その場合各ラボ店では従来フィルム用と新様式フィルム用の両機種を所有しなければならず、各ラボ店にとって両機種を購入することは大きな負担となる。
【０００８】
このような両機種を揃えて対応する以外の方法として、ネガマスクユニットやフィルムガイドなど写真焼付装置の主要な構成部材を新様式フィルム用に取り替えて処理することが実際に行われている。この方法では新機種を新たに購入する程ではないからコストの負担は小さくなる。しかし、主要構成部材をその都度取り替える方式であるから、例えば焼付処理の依頼を受けたフィルムの順に処理していたのでは主要構成部材を頻繁に交換することとなり作業効率の低下につながる。
【０００９】
現状ではこの新様式フィルムの処理量は未だ少ないため、主流の１３５フィルムと別けて依頼された処理本数がまとまってから一度に処理をするなど別工程とすることにより対応している。しかし、新様式フィルムの処理が増加することが予想されるため主要構成部材、特に露光処理に主要な影響を与えかつ取替作業の煩雑なネガマスクユニットについてはできるだけ作業が簡単で処理効率への影響の少ない新たな形式のネガマスクユニットが所望されている。
【００１０】
この発明は、上述した従来の写真焼付装置の種々の問題に留意して、ネガマスクユニット内のネガマスクを基準フィルムと新様式フィルムとで交換自在でネガフィルムを挿入するためのマスク関連部材を選択して装着するだけで簡単にいずれのフィルムからも露光処理が可能であり、かつ構成が簡単でコストが安価で写真焼付露光を極めて高効率に処理できるネガマスクユニットを得ることを課題とする。
【００１１】
【課題を解決するための手段】
この発明は、上記の課題を解決する手段として、ネガマスクユニット本体に設けたフィルム搬送路の途中にネガマスクを取替え交換又は移動交換自在に設け、このネガマスクでの露光処理に必要なフィルム挿入口、送り手段、各種センサを含むマスク関連部材を装着するための取付スペースをネガマスクの一側に設け、この取付スペースに基準フィルム用と新様式フィルム用のマスク関連部材のいずれかを選択して着脱自在に装着し、選択したマスク関連部材に適合するネガフィルムを挿通させ露光処理可能として成るネガマスクユニットとしたのである。
【００１２】
上記の構成としたこの発明のネガマスクユニットでは次のようにして基準フィルムと新様式フィルムの焼付露光処理に対処する。まず、基準フィルムの焼付露光処理をする場合、ネガマスクを基準フィルム用に取替えて装着し、又マスク関連部材も基準フィルム用のものを取付スペースに装着する。
【００１３】
こうして選択して装着したマスク関連部材のフィルム挿入口からこのマスク関連部材に適合する基準フィルムを挿入してフィルムの送り手段によりフィルムを送り出す。このネガマスクユニットをスキャナユニットと共通に用いる場合は、送り出されるフィルムの各種情報をマスク関連部材の各種センサにより読み取り、かつ各画像コマがネガマスクに対応する位置に来る毎に送りを停止してその画像コマの画像情報をスキャナ手段により読み取る。
【００１４】
全画像コマの画像情報の読み取りが終わると、それらの画像情報から画像濃度の平均を演算処理で求めるなどした後、今度は反対方向にフィルムを逆送して各画像コマをネガマスク位置で停止して焼付露光処理をする。こうして全画像コマ毎の焼付露光処理が終わるとフィルムを挿入口から引き出す。上記処理ではフィルムの逆送りの際に焼付露光処理するとしたが、一旦フィルム全量を逆送りして挿入口側へ戻し、その後正方向へ再び送り出して焼付露光してもよい。
【００１５】
なお、上記処理はネガマスクユニットがスキャナユニットと兼用型を前提としたが、スキャナユニットと独立の場合はスキャナユニットでは前述したフィルムの各種情報、画像情報を読み取り、焼付露光ユニットではそれらの位置情報、画像情報に基づいて焼付露光処理をする。
【００１６】
次に、新様式フィルムの焼付露光処理をする場合、基準フィルムの場合と同様にネガマスクとマスク関連部材を適合するサイズのものにそれぞれ交換して装着する。そして新様式フィルムをマスク関連部材に装填してフィルムを繰り出し、さらに基準フィルムと同様に送り手段でフィルムを送って同様な処理が行われる。
【００１７】
従って、基準フィルムであれ新様式フィルムであれ、そのフィルムに適合するネガマスクとマスク関連部材を選択してそれぞれ所定位置に装着し、ネガフィルムをマスク関連部材の挿入口から送るだけでスキャナ処理又は焼付露光処理が効率よく行われる。
【００１８】
【実施の形態】
以下、この発明の実施の形態について図面を参照して説明する。図１に示す写真焼付装置は焼付露光ユニットＡと現像処理ユニットＢを一体に接続して成る。焼付露光ユニットＡでは、光源部１からの照射光をミラートンネル２でネガマスクユニット３へ導き、これを通過した光をレンズユニット４を介して露光台５へと導く。露光台５へはペーパマガジン６から供給される感光材料が搬送手段７により送られ、各画像コマ毎に感光材料の送りを停止して焼付露光が行われると、その感光材料を搬送手段７により現像処理ユニットＢへと送る。
【００１９】
上記ネガマスクユニット３は、図示のように、焼付露光ユニットＡのケースの外側の所定位置に設けられ、使用時にはミラートンネル２が接続されるが、後で説明するように、異なるサイズのネガフィルムを処理する際には光源部１とミラートンネル２を回転させて接続を外し、ネガマスクユニット３に含まれるネガマスクのみを交換するだけでよい。
【００２０】
図２にネガマスクユニット３の本体１０の上板１２を一部破断した平面図を、図３に図２の矢視III −III から見た断面図を、図４に基板１１が開放した状態の外観斜視図を示す。図４に示すように、上板１２は基板１１からヒンジ１３にばねを組み込んで片側に開放自在に設けられており、上板１２と基板１１との境界部に本体１０内を横切ってネガフィルムの搬送路が設けられている。
【００２１】
この搬送路は、基準フィルムである１３５フィルム用でネガマスク２０の一側に設けられた第１搬送路１４と、ネガマスク２０の同じ側に設けられた短い第２搬送路１５と、ネガマスク２０の他側に設けられた第３搬送路１６とから成る。第２搬送路１５と第３搬送路１６との間には互いに異なるサイズのネガマスク２０のいずれかが交換自在に設けられており、後で説明するマスク関連部材３０、３０' を装着するための挿入スペース１８がネガマスク２０の一方側に配設されている。
【００２２】
ネガマスク２０は、図２、図４に示した例では基準フィルム用であり、図示の位置に固定するため基板１１のネガマスク２０の外周にマスクロック用バー２２とばね２３が埋設されている。ロック用バー２２の上部突起を収容するための切欠き２４が上板１２側の対応する位置に設けてある。
【００２３】
なお、第１搬送路１４、第２搬送路１５、第３搬送路１６は全て同じ幅である。また、第１搬送路１４は後で説明するマスク関連部材３０、３０' に設けられている。図３、図４に示すように、上板１２にはこれを閉じたときネガマスク２０に対応する位置にネガ露光用窓１７が設けられている。１９は搬送用モータ部である。
【００２４】
基準フィルム用のマスク関連部材３０は、図２、図３に示すようにこれをネガマスクユニット本体１０に装着した際に、第３搬送路１６と反対側となる端に基準フィルムの挿入口３１と、この挿入口３１から挿入される基準フィルムの送り手段として所定位置に設けられる送りローラ３２と、画面検出センサ３３、パーフォレーションセンサ３４、ＤＸセンサ３５、３５を含むセンサ群とを備えている。
【００２５】
又、図４に示すように、マスク関連部材３０は、下と上のブロック３０ａ、３０ｂに分割されており、両ブロックの境界位置に前述の第１搬送路１４が形成されている。従って、挿入スペース１８についてもこれに対応して下挿入スペース１８ａと上挿入スペース１８ｂがそれぞれ基板１１、上板１２に設けられている。
【００２６】
下ブロック３０ａを基板１１の下挿入スペース１８ａに装着したときに、スペースに固定するためのロック用バー３９ａがばね３９ｂと共にスペース外周に埋設されており、ロック用バー３９ａの突起を受入れるための切欠き３９ｃが上板１２の上挿入スペース１８ｂの外周に設けられている。
【００２７】
同様に、上ブロック３０ｂを上板の上挿入スペース１８ｂに装着するためのロック用バー３９ａ' がばね３９ｂ' と共にスペース外周に埋設されており、ロック用バー３９ａ' の突起を受入れるための切欠き３９ｃ' が基板１１の下挿入スペース１８ａの外周に設けられている。
【００２８】
なお、この実施形態ではブロック３０ａと３０ｂは基板１１と上板１２の挿入スペース１８ａと１８ｂにそれぞれ挿着するようにしたが、基板１１と上板１２をばね付きのヒンジ１３で連結したのと同じように、ヒンジで両ブロック３０ａ、３０ｂを連結するようにしてもよい。その場合は、上板１２のロック用バー３９ａ' 、ばね３９ｂ' や基板１１の切欠き３９ｃ' は不要となる。
【００２９】
送りローラ３２は、そのローラ軸の片端に設けた歯車３２ａが、マスク関連部材３０をネガマスクユニット本体１０に装着した際にネガマスクユニット本体１０側に固定して設け、ピニオン３２ｂ、歯車３２ｃと係合するように設けられ、この歯車軸上に設けられたプーリにベルト３６を掛け渡し、その回転を搬送用モータ部１９のモータ１９M から送りローラ３２へそれぞれ同期させて伝達するように設けられている。３９はマスク関連部材３０を挿置する際にピニオン３２ｂ、歯車３２ｃに干渉しないようにするための切欠きである。なお、詳細は図示していないが、第１、第２、第３搬送路１４、１５、１６に沿って上板１２と基板１１との間にフィルムガイドが設けられていることは説明するまでもない。
【００３０】
又、第２、第３搬送路１５、１６に沿ってそれぞれの適宜位置に送りローラ３２、３２が設けられており、挿入スペース１８に装着されるマスク関連部材３０の第１搬送路１４の送りローラ３２と同様に、この送りローラ３２、３２もそのローラ軸の片端に設けたプーリにベルト３６を掛け渡し、複数組のプーリとベルト３６を介して回転をモータ１９M から送りローラ３２、３２へ同期伝達するように設けてある。
【００３１】
図５〜図７に新様式フィルム用のマスク関連部材３０' を装着したネガマスクユニット３の平面図、断面図、外観斜視図をそれぞれ示す。図５〜図７は図２〜図４に対応している。
【００３２】
新様式フィルム用のマスク関連部材３０' は、図５に示すように、平面視Ｔ字形のブロック上に必要な関連素子を取付けたものである。Ｔ字形ブロックの直線部分は、図７に示すように、２つに分割されている。上ブロック３０ｂ' は、その外形形状が基準フィルム用のマスク関連部材３０の上ブロック３０ｂと全く同形であり、下ブロック３０ａ' がＴ字形である。
【００３３】
従って、図７に示すように、上ブロック３０ｂ' はネガマスクユニット本体１０の上板１２側の挿入スペース１８ｂに、下ブロック３０ａ' の直線部分が基板１１側の挿入スペース１８ａに挿置され、上板１２を基板１１に重ねると図６に示すように一体のものとして装着されることとなる。
【００３４】
マスク関連部材３０' は、その直線部分のネガマスク２０と反対側端に設けられる新様式フィルムの挿入口３１' と、この挿入口３１' から挿入されるフィルムの送り手段として第１搬送路１４の所定位置に設けられた送りローラ３２' と、第１搬送路１４に沿って設けられたフィルムの先端検出センサ３３' 、パーフォレーションセンサ３４' 、バーコードセンサ３５' 、磁気ヘッド３３Ｘ' を含むセンサ群とを備えている。
【００３５】
送りローラ３２' は、マスク関連部材３０' を挿入スペース１８に装着した際に前述したマスク関連部材３０と同様に、その軸端の歯車３２ａ' を介して固定のピニオン３２ｂ、歯車３２ｃに係合され、ペーリやベルト３６を介してモータ１９M に接続され、同期駆動される。このマスク関連部材３０' の第１搬送路１４に沿って上ブロック３０ｂ' と下ブロック３０ａ' との間にもフィルムガイドが設けられていることも同様である。上記Ｔ字形下ブロック３０ｂ' 上の挿入口３１' の手前には新様式フィルム用のカートリッジＸの挿入スペース３７が設けられており、このスペース３７の両側にカートリッジホルダ３７ａが設けられている。３７ｂはカートリッジ台板である。
【００３６】
上記カートリッジホルダ３７ａの一方は、図５に示すように、２点鎖線位置から実線位置へと移動自在に設けられており、ソレノイド１９ｓにより実線位置へカートリッジホルダ３７ａを移動させてカートリッジＸを挟持できるようになっている。３８ａはカートリッジのスプール軸を回転させるための突出軸、３８ｂはカートリッジの開閉扉を開閉するための突出軸である。突出軸３８ａは基板１１に固定して設けられたものとは別個に下ブロック３０ａ' に設けられたスプール、プーリ３６' を介してモータ１９M ' へ連結され、突出軸３８ｂはソレノイド３８ｃに連結されている。
【００３７】
カートリッジ台板３７ｂの外側には新様式フィルムをストリップフィルムとした場合のストリップフィルム挿入ガイド４０がヒンジを介して折り返し自在に設けられている。新様式フィルムはカートリッジＸに入れて取り扱うのが原則であるが、焼付露光処理の都合上カートリッジＸからネガフィルム全長を取り出して処理する場合があるからである。
【００３８】
図５、図６に示すように、第３搬送路１６の中間位置付近には新様式ネガフィルム用の巻取機４４が設けられている。この巻取機４４はスプールの回転軸がプーリ３６でモータ１９M により同期駆動される。巻取機４４の周りにはフィルム先端を挿入する際に案内をするフィルムガイド４５が設けられ、ソレノイド４６で駆動される。又、フィルムをスプールに押し付けるフィルム押え４７が設けられ、ばね４７ａで付勢されている。
【００３９】
以上の構成とした実施形態のネガマスクユニット３の作用は次の通りである。図示のネガマスクユニット３は、基準フィルムの１３５フィルムと新様式フィルムのいずれも処理できるものとされ、その処理方法は次の３通りの処理方法が可能である。
１）基準フィルムの処理
２）新様式フィルムのカートリッジ入りのままでの処理
３）新様式フィルムのストリップフィルムでの処理
なお、以下では上記処理について処理１〜３とそれぞれ略称する。
【００４０】
処理１では基準フィルムである１３５フィルムを処理するため、ネガマスク２０は図２、図４に示すように１３５フィルム用の幅のものが装着される。又、図示省略しているが、スキャナユニットとしては図１に示す光源部１、ミラートンネル２、ネガマスクユニット３を兼用とし、レンズユニット４を回転又は移動させて光路位置から退避させ、そこに反射ミラーを挿置してスキャナ手段へ画像光を導き、画像情報を読み取る構成とすることができる。
【００４１】
上記スキャナユニットを前提としかつ基準フィルム用のマスク関連部材３０を挿入スペース１８に装着したとすると、まずスキャナユニットにおける処理として、１３５フィルムＦが第１搬送路１４側の挿入口３１から挿入されると、フィルムの挿入センサ３１ｓが先端を検出して送りローラ３２（モータ１９M ）の回転を起動させ、フィルムＦを第１搬送路１４に沿って前進方向へ送る。パーフォレーションセンサ３４で送り量が検出され、検出センサ３３で各コマ画像領域が検出され、ＤＸセンサ３５でフィルム種別などの情報が検出される。
【００４２】
上記各種情報を検出した後１３５フィルムＦの各画像コマはネガマスク２０のマスク開口２１に対応する位置でそれぞれ一時停止され、その位置でスキャナ手段により画像情報を読み取る。各画像コマの画像情報を読取ると各コマ毎に少しずつフィルムＦを送る。
【００４３】
ネガフィルムＦの全ての画像コマの画像情報の読取りが終わると、そのネガフィルムＦの端末が第３搬送路１６の送りローラ３２から外れない位置まで送りそこで送りを停止する。画像情報の演算が終わると、今度はネガフィルムＦを逆方向に送り、送り量を逆算しながら各画像コマがネガマスク２０の位置に対応する位置まで送って停止させ、上記読取られた画像情報に基づいて焼付露光手段としての光源部１からの光量等の条件を調整して焼付露光を行う。
【００４４】
上記のようにネガフィルムＦを逆送して各画像コマ毎に焼付露光を行い、全ての画像コマに対する焼付露光が終わるとそのままネガフィルムＦを逆送して外部へ取り出す。但し、逆送の際に焼付露光を行うのではなく、全量を一担戻して再び正方向へ送り、その正方向の送りで焼付露光してもよい。
【００４５】
上記説明ではスキャナユニット兼用方式を前提として説明したが、スキャナユニットを兼用する方式ではなく、上記と同じ光源部１、ミラートンネル２、ネガマスクユニット３を別途設けて、焼付露光する前に予めその専用スキャナユニットで画像情報を読取るようにしてもよい。
【００４６】
この場合は画像情報等は予め読取られているから、ネガフィルムＦは正方向へ送るだけでよい。その際、パーフォレーションセンサ３４による位置情報があればよく、画面検出センサ３３、ＤＸセンサ３５はその場合は不要である。但し、専用スキャナユニットでは上記各種センサは必要である。
【００４７】
なお、１３５フィルムの挿入口３１へは幅の狭い新様式フィルムも挿入可能であるから、誤ってこの挿入口３１から新様式フィルムが挿入される可能性があるが、このように誤って新様式フィルムが挿入された場合、挿入センサ３１ｓは２つ設けられており、この２つのセンサ３１ｓ、３１ｓの両方でフィルムの挿入が検出された場合（即ち１３５フィルム）のみフィルムの送りをするものとする。
【００４８】
一方、処理２で新様式フィルムをカートリッジ入りのままで処理することもできる。この場合は、まずネガマスク２０を新様式フィルムのサイズのものに取り替えてセットし、マスク関連部材３０を新様式フィルム用のマスク関連部材３０' に取り替えて装着する。又挿入スペース３７へカートリッジＸを挿入し、ソレノイド１９ｓでカートリッジホルダ３７ａの一方を移動させてカートリッジＸをカートリッジホルダ３７ａ、３７ａ間に挟持する。ソレノイド３８ｃにより突出軸３８ｂの一方を駆動してカートリッジＸの扉を開き、モータ１９M により突出軸３８ａの一方を回転駆動してネガフィルムを繰り出す。
【００４９】
繰り出されたネガフィルムＦは送りローラ３２' で送られ、パーフォレーションセンサ３４' で送り量が検出され、バーコードセンサ３５' でフィルム側方に記入されたバーコード表示によるフィルム種別などの情報が検出され、さらに磁気ヘッド３３Ｘ' で新様式フィルムに記録されている撮影時の各種条件などの情報が検出される。
【００５０】
スキャナユニットとして兼用して用いる場合は各画像コマをネガマスク２０の位置で停止させて画像情報をスキャナ手段で読み取るとその後少しずつ送り、ネガマスク２０を超えて第３搬送路１６の途中の巻取機４４へ一担画像コマの全量を巻取り、その間に全画像コマの平均画像濃度などの焼付露光の条件を決定するのに必要なデータを演算によって求める。
【００５１】
次に、巻取機４４へ巻き取られたネガフィルムＦを反対に繰り出しながら、各画像コマ毎の画像を感光材料に焼付露光し、全画像コマの焼付露光が終了するとネガフィルムＦを全量カートリッジＸへ巻き込む。なお、焼付露光は一担全量をカートリッジＸへ巻き戻した後、再び繰り出してフィルム先頭側から順に焼付露光してもよい。
【００５２】
又、上記処理の際ネガフィルムをカートリッジＸから繰り出しても、フィルム端末はカートリッジＸに係止され、その端末からネガマスク２０までの第１、第２搬送路１４、１５の長さ分はデッドスペースフィルムとして残されているから、カートリッジＸと巻取機４４との間では自由に送り、送り戻しができるようになっている。
【００５３】
又、新様式フィルム用の挿入口３１' へは基準フィルムの１３５フィルムは幅が広くて挿入不可能であり、特にこの場合はフィルムの誤挿入を検出するセンサは設けていない。必要であれば挿入センサ３１ｓ、３１ｓと同様なセンサを設ければよい。
【００５４】
上述した処理１と処理２は基準フィルムを又は新様式フィルムを装着したマスク関連部材３０、３０' の挿入口３１、３１' から挿入して焼付露光処理をする基本作用であるが、この実施形態のネガマスクユニット３では上記以外に処理３のような処理もできるようにしている。
【００５５】
処理３では、図８に示すように、新様式フィルムをカートリッジＸから全量取り出しストリップフィルムとしたものを処理することができる。この新様式ストリップフィルムの処理は、図８のようにフィルムガイド４０を挿入スペース３７側へ倒し、ストリップフィルムをこのガイド４０上に載せて手作業でフィルムを挿入口３１' から挿入する。その後の処理はカートリッジ入りの場合と同じである。
【００５６】
なお、新様式ストリップフィルムの処理の必要性は、人員配置の都合などでフィルムの現像処理後カートリッジに巻き戻すより直接そのストリップフィルムを用いて焼付処理したいとする要望があるからである。
【００５７】
又、上記実施形態では基準フィルムと新様式フィルムのそれぞれに適合するネガマスク２０は、同じ位置に各フィルムに適合するサイズの開口２１（露光窓）を有するものに他のサイズのものから取り替えて挿置するものとしたが、図９に示すように、上記ネガマスク２０を設ける位置にフィルム搬送路と直交する方向のネガマスク用移動路を設け、ネガマスクとして基準フィルム用と新様式フィルム用の開口２１（露光窓）を互いに隣接して一体に形成したものを上記移動路に移動交換自在に装着するようにしてもよい。
【００５８】
上記実施の形態では、新様式フィルム用のＴ字形のマスク関連部材３０' の直線部分を基準フィルム用のマスク関連部材３０と共通形状とし、いずれも取付スペース１８に着脱自在としたが、新様式フィルム用のＴ字形基部部分をネガマスクユニット本体１０と一体に固定して設け、基準フィルム用のマスク関連部材３０と新様式フィルム用のマスク関連部材３０' の直線部分とをそれぞれのフィルムに対して取替えて装着するようにしてもよい。
【００５９】
【発明の効果】
以上詳細に説明したように、この発明のネガマスクユニットは交換自在なネガマスクをフィルム搬送路に設け、フィルム挿入口、送り手段、各種センサを含むマスク関連部材をネガマスクの一側に基準フィルム用と新様式フィルム用にそれぞれ取替え自在に設けたものとしたから、処理すべきネガフィルムのサイズに対応するネガマスクにネガマスクを交換し、そのネガフィルムに適合するマスク関連部材を挿入スペースに挿着するだけでスキャナ処理又は焼付露光処理ができ、極めて操作が簡単であるため高効率に処理が可能で、かつ構成がシンプルであるためコストが安価であるなど種々の効果が得られる。
【図面の簡単な説明】
【図１】実施形態のネガマスクユニットを採用した写真焼付装置の全体概略図
【図２】実施形態のネガマスクユニットの一部破断平面図（基準フィルム用マスク装着時）
【図３】図２の矢視III −III から見た断面図
【図４】実施形態のネガマスクユニットの外観斜視図（開放時）
【図５】実施形態のネガマスクユニットの一部破断平面図（新様式フィルム用マスク装着時）
【図６】図５の矢視VI−VIから見た断面図
【図７】実施形態のネガマスクユニットの外観斜視図（開放時）
【図８】新様式ストリップフィルムの処理の説明図
【図９】ネガマスクの移動交換式の例の平面図
【符号の説明】
３  ネガマスクユニット
１１  基板
１２  上板
１４  第１搬送路
１５  第２搬送路
１６  第３搬送路
１９M 、１９M '   モータ
２０  ネガマスク
２１  開口
３０、３０'   マスク関連部材
３１、３１'   フィルム挿入口
３２、３２'   送りローラ
３３  画面検出センサ
３３'   フィルム検出センサ
３４、３４'   パーフォレーションセンサ
３５  ＤＸセンサ
３５'   バーコードセンサ
３６  プーリ
３７  挿入スペース
４０  フィルムガイド
４５  フィルムガイド
Ｆ  フィルム
Ｘ  カートリッジ
【図１】
0003769894.tif 000002
【図２】
0003769894.tif 000003
【図３】
0003769894.tif 000004
【図４】
0003769894.tif 000005
【図５】
0003769894.tif 000006
【図６】
0003769894.tif 000007
【図７】
0003769894.tif 000008
【図８】
0003769894.tif 000009
【図９】
0003769894.tif 000010